(57)【要約】【課題】小型の蓄圧器を用いても十分な鉢面洗浄能力を有し、また、便器から十分に汚物を排出することができる便器への洗浄水供給システムを提供することを目的とする。【解決手段】水道水配管、止水栓などの水道水源からの給水が主流路１を介して洋風便器４のリム部に供給される。主流路１に減圧弁２と便器洗浄弁３とが設けられている。分岐部１ａから副流路５が分岐し、この副流路５の途中に逆止弁５、蓄圧器７、減圧弁８が設けられている。副流路５は合流部１ｂにおいて主流路１に合流している。便器４を洗浄すべく便器洗浄弁３を開弁させると、主流路１を介して水が便器４に供給される。便器洗浄弁３の開弁に伴って合流部１ｂ付近の主流路１内の水圧が低くなると、蓄圧器７内の高水圧の水が主流路１に付加され、主流路１から便器４へ供給される水の水圧が高くなる。これにより、便器４を十分に洗浄し、汚物を確実に排出することができる。【選択図】図１
2005048430.tif 000002
【特許請求の範囲】
【請求項１】
便器洗浄のための給水を行う主流路と、
該主流路の途中の分岐部において該主流路から分岐し、該分岐部よりも下流側の合流部において該主流路に合流する副流路と、
該副流路に設けられた蓄圧水貯蔵手段及び該蓄圧水貯蔵手段からの蓄圧水の放出を制御する蓄圧水放出制御手段と、
該副流路における蓄圧水貯蔵手段から該分岐部に向う逆流を防止する手段と、
を備えてなる便器への洗浄水供給システム。
【請求項２】
請求項１において、該分岐部と合流部との間の主流路に逆止弁又は減圧弁が設けられていることを特徴とする便器への洗浄水供給システム。
【請求項３】
請求項１又は２において、該蓄圧水放出制御手段は減圧弁であることを特徴とする便器への洗浄水供給システム。
【請求項４】
請求項１又は２において、該蓄圧水放出制御手段は弁制御手段によって開閉される弁であることを特徴とする便器への洗浄水供給システム。
【請求項５】
請求項４において、弁制御手段は、便器の洗浄工程に応じて該弁の開閉制御を行うものであることを特徴とする便器への洗浄水供給システム。
【請求項６】
請求項５において、該弁制御手段は、
便器洗浄初期は該弁を閉とするか又は弁開度を小とし、
その後、該弁を開とするか又は弁開度を大として合流部以降の主流路の水圧を増大させる
ように制御を行うものであることを特徴とする便器への洗浄水供給システム。
【発明の詳細な説明】
【技術分野】
【０００１】
本発明は、便器に洗浄水を供給する便器への洗浄水供給システムに係り、特にロータンクやハイタンクなどのタンクを設置しないＦＶ式便器やタンクレス便器に対し、水道水等の圧力によって洗浄水を供給する便器への洗浄水供給システムに関する。
【背景技術】
【０００２】
洋風便器の洗浄方式には種々の種類があるが、そのうちの代表的なものについて第６図を参照して説明する。第６図（ａ）はサイホン洗落し形洋風便器６０Ａであり、第６図（ｂ）は逆トラップ形のサイホン式洋風便器６０Ｂであり、第６図（ｃ）はサイホンゼット式洋風便器６０Ｃであり、第６図（ｄ）はブローアウト式洋風便器６０Ｄである（「衛生設備」、株式会社彰国社，昭和５９年第１版第６刷）。
【０００３】
いずれの洋風便器においても、鉢部６１の上縁にリム部６２が周設されている。鉢部６１の下部はトラップ部６３を介して排水口６４に連通している。
【０００４】
トラップ部６３は、上昇域部６３ａと、最高位部６３ｂと、下降域部６３ｃとを有する。サイホン洗落し形洋風便器６０Ａ、サイホンゼット式洋風便器６０Ｃ及びブローアウト式洋風便器６０Ｄには、トラップ部６３の上昇域部６３ａに向けて水を流出させる小孔（サイホンゼット式の場合、ゼット孔と称されることが多い）６５が設けられている。
【０００５】
第６図（ｃ）では、ゼット孔が鉢面後壁の下端付近に設けられているが、最近では第６図（ｄ）の孔６５と同様の位置やその近傍にゼット孔を配置することが多い。
【０００６】
従来用いられてきた洋風便器は、便器本体の後部上面にロータンクを設置し、該ロータンク内の水をリム等へ供給するロータンク式のものが多い。
【０００７】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にゼット孔から水を噴出させてサイホン排出水流を形成するサイホンゼット式洗浄方式が採用されることが多い。
【０００８】
ところで、水道水圧によって便器洗浄のために給水する場合、水道の静水圧が低い場合や給水配管による流水抵抗が大きくて流動時の水圧が低くなる場合、十分な水勢によって洗浄水を便器に供給することができない。この対策として、水道配管の途中に蓄圧器を設けることが特開平７−３００８９１号に記載されている。
【特許文献１】特開平７−３００８９１号公報
【非特許文献１】「衛生設備」、株式会社彰国社，昭和５９年第１版第６刷
【発明の開示】
【発明が解決しようとする課題】
【０００９】
第６図の洋風便器６０Ａ〜６０Ｄのいずれにおいても、鉢部６１からトラップ部６３を通って排水口６４へ水が排出される場合、鉢部６１及びトラップ上昇域部６３ａの水がトラップ最高位部６３ｂをある程度、勢い良く乗り越えて下降域部６３ｃの向う側の壁面部に当ることが必要である。これにより、下降域部６３ｃ内に水が封栓状に溜り、これが落下することによりトラップ部６３にサイホン流が形成され、鉢部６１内の汚物含有水が十分に引き抜かれる。
【００１０】
このためには、洋風便器６０Ｂの場合、鉢部６１に短時間のうちに多量に洗浄水を供給する必要がある。また、洋風便器６０Ａ，６０Ｃ，６０Ｄの場合、孔６５に十分に高い水圧をかける必要がある。
【００１１】
タンク式の洋風便器であれば、十分な量の水をリム部６２に供給し、また孔６５に十分に高い水圧の水を供給し、鉢部６１から汚物を十分に排出することができる。ところが、タンクレス式洋風便器の場合、水道の静水圧が低かったり、給水配管による流水抵抗が大きくて流動時の水圧が低いと、鉢部６１に多量に洗浄水を供給することができず、また孔６５への水圧も低いものとなり、洗浄不良を起し易い。
【００１２】
特開平７−３００８９１号公報の洋風便器設備にあっては、蓄圧器を用いており、水圧が高められるが、洋風便器に供給される洗浄水の全量を蓄圧器によって蓄圧するようにしており、蓄圧器が大容積のものになる。
【００１３】
本発明は、小型の蓄圧器を用いても十分な鉢面洗浄能力を有し、また、便器から十分に汚物を排出することができる便器への洗浄水供給システムを提供することを目的とする。
【課題を解決するための手段】
【００１４】
本発明の便器への洗浄水供給システムは、便器洗浄のための給水を行う主流路と、該主流路の途中の分岐部において該主流路から分岐し、該分岐部よりも下流側の合流部において該主流路に合流する副流路と、該副流路に設けられた蓄圧水貯蔵手段及び該蓄圧水貯蔵手段からの蓄圧水の放出を制御する蓄圧水放出制御手段と、該副流路における蓄圧水貯蔵手段から該分岐部に向う逆流を防止する手段と、を備えてなるものである。
【発明の効果】
【００１５】
かかる本発明のシステムにあっては、便器洗浄に対し主流路を介して水が供給されると共に、この主流路に対し副流路から高圧の蓄圧水が添加されることにより、便器に供給される水の水圧が高いものとなる。これにより、便器洗浄において十分な洗浄能力が得られる。
【００１６】
本発明では、便器への給水の全量を蓄圧器で蓄圧するのではなく、副流路の水のみを蓄圧するので、蓄圧器の容量が小さくて足りる。
【００１７】
本発明は、便器の型式を問わず使用できる。従って、主流路は便器鉢面を洗浄するためにリム部のみへ給水するものであれば、鉢面が十分に洗浄されるようになると共に便器から十分に汚物を排出することができる。また、リム部及びゼット孔へ給水するものであってもよい。
【００１８】
本発明では、分岐部と合流部との間の主流路に逆止弁又は減圧弁が設けられてもよい。これにより、蓄圧水を放出する場合でも主流路における逆流が確実に防止される。
【００１９】
本発明では、主流路の水圧が低くなると蓄圧水が放出されるように減圧弁を設けてもよく、また弁制御手段によって開閉制御される弁であってもよい。後者の場合、弁制御手段は、便器の洗浄工程に応じて弁の開閉を制御するものが好ましい。これにより、便器を効率的に洗浄することができる。具体的には、リム部及びゼット孔を備えたリム、ゼット洗浄の便器においてリム洗浄後にゼット洗浄を行うように切替制御される便器にあっては、弁制御手段は、便器洗浄初期のリム洗浄時に該弁を閉とするか又は弁開度を小とし、その後、ゼット洗浄時に該弁を開とするか又は弁開度を大として合流部以降の主流路の水圧を増大させるように制御を行うものが好適である。これにより、ゼット洗浄の際に強力に洗浄することができる。
【発明を実施するための最良の形態】
【００２０】
以下、本発明の具体的形態について第１図〜第５図を参照して説明する。
【００２１】
第１図の便器への洗浄水供給システムにおいては、水道水配管、止水栓などの水道水源からの給水が、主流路１を介して洋風便器４の少なくとも鉢面の洗浄のために供給される。この場合、従来のようにリム部供給であってもよく、オープンリムとして便器の内壁に沿って噴出するようにしてもよい。この洋風便器４は第６図のいずれのタイプのものでもよい。
【００２２】
この主流路１に減圧弁２と、フラッシュバルブ等よりなる便器洗浄弁３とが設けられている。フラッシュバルブは、手で操作されると、所定時間だけ開弁し、この所定時間が経過すると閉弁する自閉式バルブである。なお、フラッシュバルブの代りに、便器洗浄スイッチが操作されると所定時間だけ開弁し、この所定時間が経過すると自動的に閉弁する電気制御式の電動弁や電磁弁を採用してもよい。
【００２３】
主流路１には、減圧弁２よりも上流側に分岐部１ａが設けられ、減圧弁２よりも下流側に合流部１ｂが設けられている。この分岐部１ａから副流路５が分岐し、この副流路５の途中に逆止弁５、蓄圧器７、減圧弁８が設けられている。副流路５は合流部１ｂにおいて主流路１に合流している。
【００２４】
蓄圧器７は、ダイヤフラム７ａによって副流路５側に蓄水室７ｃを区画形成し、該ダイヤフラム７ａを反対側からバネ７ｂで付勢するようにしたものである。蓄水室７ｃが副流路に連通している。なお、バネ７ｂの代りに空気等の気体を加圧密封してもよく、蓄圧水を放出するときにダイヤフラムの上側に気体圧を導入するようにしてもよい。
【００２５】
便器洗浄弁３が閉弁しているときには、主流路１内の水が逆止弁６を通って徐々に蓄圧器７内に流入し、蓄圧器７内には主流路１の給水圧（静圧）と略等しい圧力の圧力水が蓄えられる。
【００２６】
便器４を洗浄すべく便器洗浄弁３を開弁させると、主流路１を介して水が便器４に供給される。便器洗浄弁３の開弁に伴って合流部１ｂ付近の主流路１内の水圧が低くなると、蓄圧器７内の高水圧の水が主流路１に付加され、主流路１から便器４へ供給される水の水圧が高くなる。これにより、便器４を十分に洗浄し、汚物を確実に排出することができる。
【００２７】
この便器への洗浄水供給システムにあっては、便器４に供給される水の多くは主流路１からのものであり、蓄圧器７の水は主としてこの主流路１を流れる水を増圧させるためのものであるから、蓄圧器７の容積は小さくて足りる。
【００２８】
例えば、１回の便器洗浄用水量が８Ｌ（リットル）であった場合、蓄圧器７の貯水量は４００〜８００ｃｃ程度で十分である。
【００２９】
なお、減圧弁２の２次側の圧力は例えば０．４〜０．６ｋｇ／ｃｍ２具体的には約０．５ｋｇ／ｃｍ２程度に設定され、減圧弁８の２次側の圧力はそれよりも０．１〜０．２ｋｇ／ｃｍ２低い圧力に設定されるのが好ましい。
【００３０】
第１図では分岐部１ａと合流部１ｂとの間に減圧弁２を設けているが、第２図のように減圧弁２の代りに逆止弁９を設けてもよい。また、第３，４図のように減圧弁２や逆止弁９を省略してもよい。
【００３１】
第３図では、減圧弁８の代りに電磁弁１０を副流路５の蓄圧器７よりも下流側に設け、便器洗浄工程の後期に該電磁弁１０を開弁させるように電気的に制御している。この場合、便器洗浄弁３としては電気駆動式のものが好適である。また、その制御回路は、便器洗浄弁３を開弁させるための便器洗浄スイッチの操作に応じて電磁弁１０の制御シーケンスを起動させるものが好ましい。なお、第３図においても主流路１に減圧弁や逆止弁を設けてもよい。
【００３２】
第４図は、第３図において逆止弁６と蓄圧器７との間に加圧ポンプ１１を設け、水道静水圧よりも高い圧力の水を蓄圧器７に蓄えるようにしたものである。
【００３３】
第５図は、第３図において洋風便器としてサイホンゼット式洋風便器４Ａを採用した場合の洗浄工程説明図である。
【００３４】
第５図において、主流路１の末端は便器洗浄弁ユニット１２に接続されている。この便器洗浄弁ユニット１２へは便器洗浄スイッチ１３から洗浄開始信号が与えられる。なお、該便器洗浄弁ユニット１２に設けられた制御回路により前記電磁弁１０が開閉制御される。
【００３５】
第５図（ａ）は、便器洗浄スイッチ１３を押した直後の状態であり、電磁弁１０は閉とされ、主流路１からの水が該洗浄弁ユニット１２によってリム４ａにのみ供給され、鉢面洗浄が行われている。
【００３６】
第５図（ｂ）は、便器洗浄スイッチ１３が押されてから所定時間（例えば２〜５秒）が経過した後の状態を示している。この状態では、電磁弁１０が開弁され、主流路１に対し蓄圧器７から高圧水が添加され、十分に高い水圧の水がゼット孔４ｂにのみ供給され、ゼット孔４ｂからトラップ部４ｃの上昇域に勢い良く水が噴出している。これにより、強力なサイホン排出水流が形成され、便鉢内の汚物が十分に排出される。
【００３７】
第５図（ｃ）は、汚物排出が終了し、トラップ部４ｃにトラップ封水を溜めつつある状態を示している。この状態では、電磁弁１０は閉弁され、主流路１からの水がリム４ａのみを介して便鉢内に流入している。
【００３８】
第１図〜第５図はいずれも本発明の一例であり、本発明は図示以外の形態をも採り得る。例えば、第５図の便器洗浄弁ユニット１２の代りに当該箇所に切替弁を設け、さらに分岐点１ａの上流に開閉弁ユニットを設けてもよい。この場合の洗浄工程は以下の通りである。
【００３９】
便器洗浄スイッチ１３を押す前においては、開閉弁ユニットの開閉弁及び電磁弁１０は共に閉とされている。
【００４０】
便器洗浄スイッチ１３を押すと、開閉弁ユニットへ洗浄開始信号が与えられ、開閉弁ユニットに設けられた制御回路により開閉弁ユニットの開閉弁が開とされ、また切替弁がリム４ａに給水するように切り替えられる。これにより、主流路１からの水がリム４ａにのみ供給され、鉢面洗浄が行われる。
【００４１】
所定時間の経過後、制御回路により電磁弁１０が開とされ、また切替弁がゼット孔４ｂに給水するように切り替えられて、十分に高い水圧の水がゼット孔４ｂにのみ供給される。これにより、強力なサイホン排出水流が形成され、便鉢内の汚物が十分に排出される。
【００４２】
上記汚物排出の終了後、制御回路により電磁弁１０が閉とされ、切替弁がリム４ａに給水するように切り替えられ、これにより便鉢内にトラップ封水が溜められると共に蓄圧器７内にも水が溜められる。
【００４３】
その後、制御回路によって開閉弁が閉とされ、洗浄工程が終了する。
【００４４】
上記実施の形態においては、リム４ａとゼット孔４ｂのいずれかにのみ給水可能としているが、両方に同時に給水可能な構成としてもよく、またリム４ａを省略してもよい。
【図面の簡単な説明】
【００４５】
【図１】本発明の第１の形態に係る便器への洗浄水供給システムの系統図である。
【図２】本発明の第２の形態に係る便器への洗浄水供給システムの系統図である。
【図３】本発明の第３の形態に係る便器への洗浄水供給システムの系統図である。
【図４】本発明の第４の形態に係る便器への洗浄水供給システムの系統図である。
【図５】本発明の一形態に係る便器への洗浄水供給システムの系統図である。
【図６】洋風便器の型式の説明図である。
【符号の説明】
【００４６】
１  主流路
２  減圧弁
３  便器洗浄弁
４，４Ａ  洋風便器
５  フラッシュバルブ
７  蓄圧器
【図１】
2005048430.tif 000003
【図２】
2005048430.tif 000004
【図３】
2005048430.tif 000005
【図４】
2005048430.tif 000006
【図５】
2005048430.tif 000007
【図６】
2005048430.tif 000008